(57)【要約】  本出願は、対象とする骨に固定される外科的穿孔ガイド（２００）に関する。この外科的穿孔ガイド（２００）は、第１の骨切り術平面（Ａ）を規定する少なくとも１つの第１の細長スロット（２０１）または少なくとも１つの突起（２５０）と、複数のドリルガイドボア（２０２ａ〜２０２ｚ）とを備える。これら複数のドリルガイドボア（２０２ａ〜２０２ｚ）は、直径および中心軸（Ｘ）を有し、当該ドリルガイドボア（２０２ａ〜２０２ｚ）の中心軸（Ｘ）が第１の骨切り術平面（Ａ）と平行である。これら複数のドリルガイドボア（２０２ａ〜２０２ｚ）の直径は、骨切り術平面（Ａ）と交差する。これら複数のドリルガイドボア（２０２ａ〜２０２ｚ）はそれぞれ、ドリル（４００）の停止面を提供するドリルシート（２０３ａ〜２０３ｚ）を備え、当該ドリルシート（２０３ａ〜２０３ｚ）が、上記複数のドリルガイドボア（２０２ａ〜２０２ｚ）のそれぞれに関して、ドリル掘削深さを特定の必要なドリル掘削深さ（３１２）に制限する。
2016501644.tif 000002
【特許請求の範囲】
【請求項１】
対象とする骨に固定される外科的穿孔ガイド（２００）であって、第１の骨切り術平面（Ａ）と、直径および中心軸（Ｘ）を有し、当該中心軸（Ｘ）が前記第１の骨切り術平面（Ａ）と平行である、複数のドリルガイドボア（２０２ａ〜２０２ｚ）とを規定する少なくとも１つの第１の細長スロット（２０１）または少なくとも１つの突起（２５０）を備え、前記複数のドリルガイドボア（２０２ａ〜２０２ｚ）の直径が前記骨切り術平面（Ａ）と交差する、外科的穿孔ガイド（２００）において、前記複数のドリルガイドボア（２０２ａ〜２０２ｚ）がそれぞれ、ドリル（４００）の停止面を提供するドリルシート（２０３ａ〜２０３ｚ）を備え、当該ドリルシート（２０３ａ〜２０３ｚ）が、前記複数のドリルガイドボア（２０２ａ〜２０２ｚ）のそれぞれに関して、ドリル掘削深さを特定の必要なドリル掘削深さ（３１２）に制限することを特徴とする、外科的穿孔ガイド（２００）。
【請求項２】
各ドリルシート（２０３ａ〜２０３ｚ）が、患者固有のデータに応じてドリル掘削深さが制限されるように当該外科的穿孔ガイド（２００）上に配置されることによって、好適には、当該外科的穿孔ガイド（２００）の固定側の反対にある前記骨の皮質までの距離に対応した特定の必要なドリル掘削深さ（３１２）となることを特徴とする、請求項１に記載の外科的穿孔ガイド（２００）。
【請求項３】
前記対象とする骨に接触する骨接触面（２０４）をさらに備え、当該骨接触面（２０４）が、前記対象とする骨の外形に一致した形状を有することを特徴とする、請求項１または２に記載の外科的穿孔ガイド（２００）。
【請求項４】
少なくとも１つの細長スロット（２０１）と、鋸刃（５００）のガイド面を提供することによって前記対象とする骨の内部での当該鋸刃（５００）の切除深さ（１１０）を制限する外面（２０５）とを備えたことを特徴とする、請求項１〜３のいずれか一項に記載の外科的穿孔ガイド（２００）。
【請求項５】
前記外面（２０５）の形状が、前記少なくとも１つの細長スロット（２０１）に沿って、好適には患者固有のデータに応じて前記切除深さ（１１０）が変化するように構成されたことを特徴とする、請求項４に記載の外科的穿孔ガイド（２００）。
【請求項６】
第１の細長スロット（２０１）および第２の細長スロット（２４０）を備え、当該第２の細長スロット（２４０）が、前記第１の骨切り術平面（Ａ）に対するある角度で配置された第２の骨切り術平面（Ｂ）を規定しており、前記第２の細長スロット（２４０）が、前記対象とする骨の内部で前記第２の骨切り術平面（Ｂ）が前記第１の骨切り術平面（Ａ）と交差するように構成されたことを特徴とする、請求項１〜５のいずれか一項に記載の外科的穿孔ガイド（２００）。
【請求項７】
多数の突起（２５０）を備え、当該突起（２５０）が、前記対象とする骨の切除切断部（３１１）に挿入されるようにサイズ規定および成形されたことを特徴とする、請求項１〜３のいずれか一項に記載の外科的穿孔ガイド（２００）。
【請求項８】
少なくとも１つの固定具受容孔（２２１ａ、２２１ｂ）をさらに備えたことを特徴とする、請求項１〜７のいずれか一項に記載の外科的穿孔ガイド（２００）。
【請求項９】
請求項１〜８のいずれか一項に記載の少なくとも１つの外科的穿孔ガイド（２００）と、停止シート（４０２）を備えた少なくとも１つのドリル（４００）と、を備えたキット。
【請求項１０】
刃シート（５０２）を規定する突起を有する少なくとも１つの鋸刃（５００）をさらに備えた、請求項９に記載のキット。
【請求項１１】
好適には請求項１〜８のいずれか一項に記載の外科的穿孔ガイド（２００）を製造する方法であって、
ａ）患者固有のデータ、好適には患者固有の撮像データにより、複数のドリルガイド孔（２０２ａ〜２０２ｚ）の位置および必要なドリル掘削深さを規定するステップと、
ｂ）前記ドリルガイド孔（２０２ａ〜２０２ｚ）それぞれの必要なドリル掘削深さ（３１２）に従って、当該ドリルガイド孔（２０２ａ〜２０２ｚ）それぞれのドリルシート（２０３ａ〜２０３ｚ）の位置を決定するステップと、
ｃ）好適には機械加工または積層造形技術によって、前記外科的穿孔ガイド（２００）を製造するステップと、
を含む、方法。
【請求項１２】
前記製造ステップに先立って、患者固有の撮像データにより、対象とする骨の目標接触領域の形状を決定することによって、当該対象とする骨に接触する骨接触面（２０４）の形状を規定するステップをさらに含む、請求項１１に記載の方法。
【請求項１３】
前記製造ステップに先立って、患者固有の撮像データにより、必要な切除深さ（１１０）に従って、前記外科的穿孔ガイド（２００）の外面（２０５）の形状を規定するステップをさらに含む、請求項１１または１２に記載の方法。
【発明の詳細な説明】
【技術分野】
【０００１】
本発明は、特に膝のオープンウェッジおよびクローズドウェッジ骨切り術を行うための外科的穿孔ガイドに関する。
【背景技術】
【０００２】
膝骨切り術は、下肢の大関節すなわち股関節、膝関節および足関節のミクリッツ線をリアラインするために用いられる手術法である。肢部の軸が正常にアラインされている状態では、股関節の中心、脛骨プラトーの顆間隆起、および足関節の中心が一直線になっており、下肢機能軸であるいわゆるミクリッツ線を形成している。
【０００３】
このアライメントは、たとえば膝の一方側の関節損傷、先天性のずれ、または外傷性障害によって阻害され、膝関節軟骨が過剰に摩耗してしまう可能性がある。これは、膝関節症として知られている。
【０００４】
膝の骨切り術の手術手技の目的は、膝の損傷部位から反対側のより健康な部位へと膝に加わる力のバランスを取り戻すことにある。これにより、患者の体重および筋肉によって膝関節に発生する力を良好に分散させることができる。
【０００５】
臨床業務においては、２つの手技すなわちオープンウェッジ骨切り術およびクローズドウェッジ骨切り術が一般的である。両手技とも、上述のミクリッツ線を部分的または完全に再構築することを目指している。
【０００６】
クローズドウェッジ法の実施に際しては、脛骨プラトーの下側の骨が楔状に除去される。その後、脛骨プラトーが引き下げられて間隙が閉塞され、外傷用プレートおよびネジにより固定される。
【０００７】
オープンウェッジ法の実施に際しては、表面積の約８０％にわたって、脛骨プラトーの下側の骨が水平に切断される。そして、楔状のスペーサが挿入される。このため、脛骨プラトーの一方側が持ち上げられ、下肢軸が修正される。楔状のスペーサは、天然骨、人工骨、またはその他の生体適合性もしくは骨結合性材料で構成可能である。スペーサは通例、プレートおよびネジによって骨に固定される。
【０００８】
骨切り手術は、膝全体の置換の可能性を最大１０年間延期するのに有用であるため、患者に重要な利益をもたらす。
【０００９】
外科医によるウェッジ骨切り術の支援のため、従来、多くのガイドが知られている。たとえば、米国特許第７１８５６４５号公報（Ｈｕｄｓｏｎ  Ｓｕｒｇｉｃａｌ  Ｄｅｓｉｇｎ  Ｉｎｃ．）は、振動骨鋸等の平面切断具のガイド面を提供する装置を開示している。この切断具は、修正する骨の内部に配置された複数のピン部材の接平面によってガイドされる。ピン部材のうちの２つ以上によって、切断具が形成する切除面の目標平面が規定される。
【００１０】
米国特許出願公開第２００８／０２６２５００号公報（Ｈｏｗｍｅｄｉｃａ  Ｏｓｔｅｏｎｉｃｓ  Ｃｏｒｐ．）は、第１のガイド面が形成された第１のアームおよび第２のガイド面が形成された第２のアームを有する骨切り処置を実行するための切断ガイドを記載している。第１および第２のアームは、互いに枢動可能に接続されている。また、切断ガイドの表面には、２つのアームが閉位置にある場合にドリルの骨内へのガイドを可能とするドリルガイドを構成する円形溝を具備していてもよい。
【００１１】
米国特許第５０２１０５６号公報（Ｉｎｔｅｒｍｅｄｉｃｓ  Ｏｒｔｈｏｐｅｄｉｃｓ  Ｉｎｃ．）は、骨切り術を行うための方法および装置を開示している。この装置は、それぞれがクランプ板を具備する一対のミラークランプアームアセンブリを備えた第１のガイドアセンブリを備える。クランプアームは、第１のガイドアセンブリに沿って自由に摺動可能である。各クランプ板は、複数のボアおよび切断具用のガイドスロットを特徴とする。第１のガイドアセンブリを用いることにより、ガイドスロットを介して骨に第１の切断部が作成されるため、上記複数のボアに挿入された骨固定具によってクランプ板が安定する。そして、第１のガイドアセンブリが除去されるとともに第２のガイドアセンブリが骨上に配置され、平坦な刃要素が骨の切断部に挿入される。第２のガイドアセンブリは、第１の切断部と異なる角度の切断部を形成することによって骨に適当な楔を形成可能な複数のガイドスロットを備える。
【００１２】
オープンウェッジおよびクローズドウェッジ骨切り術によってもたらされる利点にも関わらず、この手技は合併症を伴うことが多く、回復時に患者が不快な思いをしたり、外科的処置自体が複雑になったりする場合がある。たとえば、手術中の大きな課題の１つとして、一定の深さだけ骨を切断した後、近位脛骨プラトーの骨折または剥離（いわゆる医原性骨折）なく骨切り部の上方に脛骨プラトーを持ち上げることが挙げられる。
【先行技術文献】
【特許文献】
【００１３】
【特許文献１】米国特許第７１８５６４５号公報
【特許文献２】米国特許出願公開第２００８／０２６２５００号公報
【特許文献３】米国特許第５０２１０５６号公報
【発明の概要】
【発明が解決しようとする課題】
【００１４】
本発明の目的は、最初に記載した技術分野に関する穿孔ガイドであって、オープンウェッジおよびクローズドウェッジ骨切り術の実施を容易化するとともに処置中の医原性骨折の危険性を低減する穿孔ガイドを創出することにある。
【課題を解決するための手段】
【００１５】
本発明の解決手段は、請求項１の特徴によって規定される。本発明によれば、外科的穿孔ガイドは、対象とする骨に固定されるものであって、第１の骨切り術平面を規定する少なくとも１つの第１の細長スロットまたは少なくとも１つの突起を備える。さらに、外科的穿孔ガイドは、それぞれが直径および中心軸を有する複数のドリルガイドボアを備え、これら複数のドリルガイドボアの中心軸が第１の骨切り術平面と平行であり、当該複数のドリルガイドボアそれぞれの直径が第１の骨切り術平面と交差する。さらに、上記複数のドリルガイドボアはそれぞれ、ドリルの停止面を提供するドリルシートを備え、当該停止面がそれぞれ、上記複数のドリルガイドボアのそれぞれに関して、ドリル掘削深さを特定の必要なドリル掘削深さに制限する。
【００１６】
ドリルシートを設けることによって、外科医がドリルを進め過ぎることによる骨の他方側の軟組織の損傷を回避することができる。さらに、ドリルシートによれば、骨にドリル掘削する孔の深さを精密に制御することにより、骨が局所的に十分弱化して柔軟性が増し、外科医が楔を開口または閉塞する際の医原性骨折の発生を回避可能となる。
【００１７】
外科的穿孔ガイドは、剛体を具備するのが好ましく、ステンレス鋼、チタン、またはポリエーテルエーテルケトン（ＰＥＥＫ）もしくはポリ乳酸（ＰＬＡ）等の生体適合性ポリマー等の生体適合性材料のブロックとして構成されているのがより好ましい。上記剛体は一般的に、たとえば適当な曲率を有する対象とする骨に一面が接触して配置されるように構成された直方体の形態で成形されており、骨接触面が、脛骨の側面のサイズに略対応した長さを有しているのが好ましい。
【００１８】
上記少なくとも１つの第１の細長スロットは、往復式骨鋸の鋸刃等の平面切断具用の２つのガイド面を提供する。このため、上記少なくとも１つの第１の細長スロットによれば、第１の骨切り術平面に沿って、平面切断具を精密にガイド可能となる。上記少なくとも１つの細長スロットの厚さは、鋸刃の厚さに一致するように選択するのが好ましい。
【００１９】
あるいは、外科的穿孔ガイドは、少なくとも１つの突起を備えていてもよく、当該突起が、骨の切断部に挿入可能に構成されているのが好ましい。このため、上記少なくとも１つの突起によれば、たとえば骨鋸によって作成された切断部に対して、外科的穿孔ガイドを精密にアライン可能となる。
【００２０】
複数のドリルガイドボアの直径が第１の骨切り術平面と交差するため、当該ドリルガイドボアはそれぞれ、第１の骨切り術平面を含む。これら複数のドリルガイドボアは、それらの軸が第１の骨切り術平面内となるように、外科的穿孔ガイド上に配置されているのが好ましい。あるいは、上記複数のドリルガイドボアの軸は、第１の骨切り術平面からオフセットしていてもよいが、それらの直径の半分以下とする。本出願において、「オフセット」とは、第１の骨切り術平面と垂直な方向における第１の骨切り術平面からの距離を意味する。
【００２１】
上記すべてのドリルガイドボアの軸は、第１の骨切り術平面と平行であるのみならず、互いに平行であるのが好ましい。あるいは、ドリルガイドボアのうちの少なくとも１つが、その他のドリルガイドボアの軸に対してある角度の軸を有していてもよい。ドリルガイドボアのすべての軸は、第１の骨切り術平面から同じ距離だけオフセットしているのが好ましい。あるいは、ドリルガイドボアのうちの少なくとも１つが、その他のドリルガイドボアの軸の第１の骨切り術平面からのオフセット距離よりも大小いずれかの距離だけオフセットしていてもよい。
【００２２】
上記複数のドリルガイドボアはすべて、骨接触面の全長にわたって均等に分布しているのが好ましい。すなわち、上記複数のドリルガイドボアはすべて、同じ距離だけ互いに間隔を空けている。あるいは、２つの隣接するドリルガイドボア間の距離は、骨接触面の長さ方向に沿って変化していてもよい。
【００２３】
用語「複数」は、２以上の任意の数を包含することが了解される。外科的穿孔ガイドは、２〜２０個のドリルガイドボアを備えるのが好ましく、４〜１０個のドリルガイドボアを備えるのがより好ましい。
【００２４】
ドリルガイドボアは、１．２〜４．０ｍｍの範囲の直径を有するのが好ましい。これに対応して、この外科的穿孔ガイドとの関連で使用する任意のドリルは、これに一致した直径を有する。
【００２５】
ドリルシートは、ドリル上の対応する停止シートと協働する表面として構成されているのが好ましく、外科医がドリルをさらに進めようとするのを物理的に阻止する。
【００２６】
各ドリルガイドボアの特定の必要なドリル掘削深さは、対象とする骨の骨切り術を行う部位に応じて変化する。通常、外科的穿孔ガイドの側面寄りに配置されたドリルガイドボアの場合、これらは対象とする骨の両側に同時に配置されることになるため、必要なドリル掘削深さは小さくなる。一方、外科的穿孔ガイドの中心に配置されたドリルガイド孔の場合、必要なドリル掘削深さは大きくなる。当業者であれば、上記複数のドリルガイドボアの必要なドリル掘削深さが、対象とする骨の種類および脛骨近位部、大腿骨遠位部、大腿骨近位部等の骨切り術の場所によって決まることが認識されよう。さらに、治療する患者のサイズひいては患者の骨の個別サイズについても、上記複数のドリルガイドボアそれぞれの必要なドリル掘削深さに影響する。
【００２７】
各ドリルシートは、穿孔ガイド上に配置されることにより、患者固有のデータに応じてドリル掘削深さを制限するのが好ましい。上記複数のドリルガイドボアそれぞれの必要なドリル掘削深さは、外科的穿孔ガイドの固定側の反対にある骨の皮質までの距離に対応しているのがより好ましい。
【００２８】
患者固有のデータは、たとえばＸ線コンピュータ断層撮影法（ＣＴスキャン）、磁気共鳴画像法（ＭＲＩスキャン）、または３次元Ｘ線画像法により外科的処置に先立って収集された撮像データであるのが好ましい。この患者固有の撮像データによれば、上記複数のドリルガイドボアそれぞれについて、最も適した必要なドリル掘削深さを決定することができる。
【００２９】
本発明に係る外科的穿孔ガイドは、患者ごとに特注であるのが好ましい。これにより、上記複数のドリルガイドボアそれぞれに対して、ドリルシートの位置を容易に適応させることが可能となる。
【００３０】
必要なドリル掘削深さと外科的穿孔ガイドの固定側または固定部位の反対側にある骨の皮質までの距離とを一致させることによって、皮質が十分に弱化し、その後の楔の閉塞または開口時に破損することがなくなる。これによって、医原性骨折の発生が大幅に抑えられる。
【００３１】
外科的穿孔ガイドは、対象とする骨に接触する面をさらに備え、当該骨接触面が、対象とする骨の外形に一致した形状を有するのが好ましい。これによって、対象とする骨上への外科的穿孔ガイドの載置および取り付けが容易となる。
【００３２】
先と同様に、この形状は、外科的処置に先立って収集された患者固有のデータ、優先的には撮像データに従って適応されているのが好ましい。当業者であれば、骨接触面が機械加工により適切な形状を有するか、または外科的穿孔ガイドが患者ごとに特注であることが了解されるであろう。
【００３３】
外科的穿孔ガイドは、少なくとも１つの細長スロットと、鋸刃のガイド面を提供することによって骨の内部での鋸刃の切除深さを制限する外面とを備えるのが好ましい。
【００３４】
したがって、外面は、骨接触面の反対側に配置されており、鋸刃上に配置された刃シートの停止面として作用するように構成されている。この形状は、対象とする骨に鋸刃によって作成された切断部の最適形状を与えるように選定される。外面は、凹状であるのが好ましい。外面をこのような形状とすることによって、対象とする骨の内部の鋸刃の切断深さが骨の両側寄りでは浅く、骨の中心寄りでは深くなる。
【００３５】
外面の形状は、上記少なくとも１つの細長スロットに沿って、好適には患者固有のデータに応じて切除深さが変化するように構成されているのが好ましい。
【００３６】
外面の形状は、骨鋸刃の刃シートとの協働により、骨鋸刃によって作成された切断部の形状が、患者の対象とする骨に対して最適化されるように構成されているのが好ましい。そこで、外面の形状は、患者固有のデータ、好適には患者固有の撮像データに基づいて決められるのが最も好ましい。
【００３７】
外科的穿孔ガイドは、第１の細長スロットおよび第２の細長スロットを備え、当該第２の細長スロットが、第１の細長スロットに対するある角度で配置された第２の骨切り術平面を規定しており、第２の細長スロットが、骨の内部で第２の骨切り術平面が第１の骨切り術平面と交差するように構成されているのが好ましい。
【００３８】
第２の細長スロットを設けることにより、第２の骨切り術平面に沿って対象とする骨を精密に切断可能となるため、楔状に配置された２つの切断部が得られる。外科的穿孔ガイド上の第２の細長スロットの角度および位置は、患者固有のデータ、好適には患者固有の撮像データに従って選定するのが好ましく、これにより楔の精密な切断が可能となって、楔を除去した際にミクリッツ線が最適にリアラインされることになる。
【００３９】
外科的穿孔ガイドは、多数の突起を備え、当該突起が、対象とする骨の切除切断部に挿入されるようにサイズ規定および成形されているのが好ましい。
【００４０】
外科的穿孔ガイドのこのような構成は、クローズドウェッジ骨切り術の実施に際して使用してもよい。多数の突起を切断部に配置することにより、切断部に対して外科的穿孔ガイドを精密にアライン可能となるためである。したがって、外科医は、このような外科的穿孔ガイドを用いることにより、対象とする骨にドリル孔を精密に配置可能である。ドリルガイドボアについても、適切な位置に精密に配置されることになるためである。
【００４１】
外科的穿孔ガイドは、少なくとも１つの固定具受容孔をさらに備えるのが好ましい。骨ネジ等の骨固定具を当該少なくとも１つの固定具受容孔に挿入することによって、対象とする骨に外科的穿孔ガイドをしっかりと取り付けるようにしてもよい。
【００４２】
本出願はさらに、本発明に係る少なくとも１つの外科的穿孔ガイドと、停止シートを備えた少なくとも１つのドリルとを備えたキットに関する。
【００４３】
ドリルの停止シートは、ドリルガイドボアのドリルシートと協働するように構成されている。したがって、停止シートは、ドリル先端から一定の距離に配置されている。キットは、複数のドリルを備えていてもよく、各ドリルが、ドリル先端から異なる距離に配置された停止シートを有するのが好ましい。あるいは、上記少なくとも１つのドリルは、停止シートの代わりに、ドリル先端から規定の距離に配置された少なくとも１つのマーキングを備えていてもよい。この場合、外科医は、マーキングがドリルシートと一致した際に特定の必要なドリル掘削深さに達しているか否かを判定するようにしてもよい。
【００４４】
キットは、刃シートを規定する突起を有する少なくとも１つの鋸刃をさらに備えるのが好ましい。特に、規定形状の外面を備えた外科的穿孔ガイドとの関連においては、刃シートと外面形状との協働によって、主に第１の骨切り術平面における外面の形状に対応した規定形状の切断部が得られる。
【００４５】
本出願はさらに、好適には本発明に係る外科的穿孔ガイドを製造する方法に関する。第１のステップにおいては、患者固有のデータに従って、上記複数のドリルガイド孔それぞれの位置および必要なドリル掘削深さを規定する。患者固有のデータは、患者固有の撮像データであるのが好ましい。第２のステップにおいては、必要なドリル掘削深さに従って、上記複数のドリルガイドボアそれぞれのドリルシートの位置を決定する。第３のステップにおいては、外科的穿孔ガイドを製造する。この製造は、機械加工または積層造形技術によって行うのが好ましい。
【００４６】
当業者であれば、金属等の材料ブロックから外科的穿孔ガイドを製造するためのフライス加工等の適当な機械加工技術を把握している。積層造形技術としては、特に選択的レーザ焼結法、直接金属焼結法、選択的レーザ溶融法、選択的加熱焼結法、電子ビーム自由形状製作法、および熱溶解積層法等が挙げられる。
【００４７】
また、外科的穿孔ガイドの製造は、複数の異なる技術を用いて行ってもよいことが了解される。たとえば、積層造形技術によって剛体を製造した後、機械加工プロセスを適用することによって、たとえばドリルガイドボアまたは少なくとも１つの第１の細長スロットを製造するようにしてもよい。
【００４８】
上記方法は、製造ステップに先立って、患者固有の撮像データにより、対象とする骨の目標接触領域の形状を決定することによって、当該対象とする骨に接触する面の形状を規定するステップをさらに含んでいるのが好ましい。
【００４９】
上記方法は、製造ステップに先立って、患者固有の撮像データにより、必要な切除深さに従って、外面の形状を規定するステップをさらに含んでいるのが好ましい。
【００５０】
その他有利な実施形態および特徴の組み合わせについては、以下の詳細な説明および特許請求の範囲全体によって明らかとなる。
【００５１】
実施形態を説明するために使用される図面は、以下のことを示す。
【図面の簡単な説明】
【００５２】
【図１ａ】膝関節のクローズドウェッジ骨切り術を示した図である。
【図１ｂ】膝関節のクローズドウェッジ骨切り術を示した図である。
【図２ａ】膝関節のオープンウェッジ骨切り術を示した図である。
【図２ｂ】膝関節のオープンウェッジ骨切り術を示した図である。
【図３ａ】医原性骨折の一例を示した図である。
【図３ｂ】医原性骨折の一例を示した図である。
【図４ａ】本発明に係る外科的穿孔ガイドの第１の実施形態を示した図である。
【図４ｂ】本発明に係る外科的穿孔ガイドの第１の実施形態を示した図である。
【図４ｃ】本発明に係る外科的穿孔ガイドの第１の実施形態を示した図である。
【図５】外科的穿孔ガイドの設計および製造に関係する脛骨の骨表面を示した図である。
【図６ａ】本発明に係る外科的穿孔ガイドとの関連で使用するドリルの別の実施形態を示した図である。
【図６ｂ】本発明に係る外科的穿孔ガイドとの関連で使用するドリルの別の実施形態を示した図である。
【図７ａ】本発明に係る外科的穿孔ガイドとの関連で使用する鋸刃の別の実施形態を示した図である。
【図７ｂ】本発明に係る外科的穿孔ガイドとの関連で使用する鋸刃の別の実施形態を示した図である。
【図８】本発明に係る外科的穿孔ガイドの設計および寸法決定のための関連する解剖学的ランドマークを示した図である。
【図９ａ】図４ａに係る外科的穿孔ガイドを使用するための外科的ステップを示した図である。
【図９ｂ】図４ａに係る外科的穿孔ガイドを使用するための外科的ステップを示した図である。
【図９ｃ】図４ａに係る外科的穿孔ガイドを使用するための外科的ステップを示した図である。
【図９ｄ】図４ａに係る外科的穿孔ガイドを使用するための外科的ステップを示した図である。
【図１０ａ】本発明に係る外科的穿孔ガイドによるドリル掘削ステップを示した図である。
【図１０ｂ】本発明に係る外科的穿孔ガイドによるドリル掘削ステップを示した図である。
【図１０ｃ】本発明に係る外科的穿孔ガイドによるドリル掘削ステップを示した図である。
【図１１】ドリル掘削の切り欠き図である。
【図１２ａ】本発明に係る外科的穿孔ガイドによる鋸引きステップを示した図である。
【図１２ｂ】本発明に係る外科的穿孔ガイドによる鋸引きステップを示した図である。
【図１３】鋸引きの断面図である。
【図１４】本発明に係る外科的穿孔ガイドの第２の実施形態を示した図である。
【図１５ａ】本発明に係る外科的穿孔ガイドの第３の実施形態を示した図である。
【図１５ｂ】本発明に係る外科的穿孔ガイドの第３の実施形態を示した図である。
【図１６ａ】外科的穿孔ガイドの別の実施形態を示した図である。
【図１６ｂ】外科的穿孔ガイドの別の実施形態を示した図である。
【発明を実施するための形態】
【００５３】
図面中、同じ構成要素には同じ参照符号を付している。
【００５４】
好適な実施形態
図１ａおよび図１ｂは、膝関節のクローズドウェッジ骨切り術を示している。大腿骨１００および脛骨１０１は、膝関節１０２で相互作用する。関節１０２の下方には、規定の切除平面における脛骨近位部を通る断面積のおよそ６０〜９０％にわたって、第１の平面切除部１０４が作成されている。そして、第１の平面切除部１０４に対するある角度で第２の平面切除部１０７が作成されている。第１の平面切除部１０４および第２の平面切除部１０７はともに、楔１０３を規定する。楔１０３は、その後除去され、脛骨プラトー近位部が遠位に押し下げられることによって機能軸１０６（ミクリッツ線）が再構築されるとともに、たとえばプレートおよびネジ（図示せず）によって固定される。
【００５５】
図２ａおよび図２ｂは、オープンウェッジ骨切り術を示している。第１の平面切除部１０４が作成され、そして、当該第１の平面切除部１０４に骨楔１０５が挿入される。骨楔１０５は、内側の脛骨プラトーを持ち上げることによって、正しい機能軸１０６（ミクリッツ線）を再構築する。また、骨楔１０５は、たとえばプレートおよびネジ（図示せず）を用いることによって、所定の位置に固定されている。理想的には、弾性および塑性変形等の自然な柔軟性によって、切断していない皮質を脛骨プラトーの再配置に自己適応させる。切断していない皮質が十分に柔軟ではなく、生じる応力が大きくなり過ぎた場合は、脛骨プラトーが裂ける場合もある。
【００５６】
図３ａおよび図３ｂには、骨切り術中に発生し得る医原性骨折１０７の例を示している。このような医原性骨折１０７は、脛骨プラトー近位部の持ち上げまたは引き下げの結果として起こる場合がある。上述の通り、このような医原性骨折１０７は、骨材料の材料特性（Ｅモジュールおよび弾性）による非切除骨部位１０８の不十分な柔軟性に起因する。さらに、このような医原性骨折１０７は、第１の平面切除部１０４の切除深さ１１０が浅過ぎて、その他の非切除骨部位１０８が任意の曲げ力に対する強い復元力を示す場合に発生する場合もある。
【００５７】
図４ａは、本発明に係る外科的穿孔ガイド２００の例示的な一実施形態を示している。外科的穿孔ガイド２００は、一般的には直方体形状の剛体２１０を具備する。剛体は、対象とする骨に接触する骨接触面２０４を有する。骨接触面２０４は、対象とする骨の骨切り術を行う部位の外形に対応した形状を有するのが好ましい。外科的穿孔ガイド２００は、骨接触面２０４の反対側において、外面２０５を備える。外面２０５は、処置中に外科医側を向く外科的穿孔ガイド２００の面である。外面２０５から骨接触面２０４にわたっては、第１の細長スロット２０１が貫通しており、往復式骨鋸の鋸刃等の平面切断具用の２つのガイド面を提供している。さらに、外科的穿孔ガイド２００は、７つのドリルガイドボア２０２ａ〜２０２ｚを備える。本出願に関しては、添え字ａ〜ｚを用いて同じ特徴の複数の実体を識別することにより、実体の数に対する任意特定の制限を含意しないようにしている。ドリルガイドボア２０２ａ〜２０２ｚはそれぞれ、第１の細長スロット２０１によって規定される第１の骨切り術平面Ａと平行な中心軸Ｘを有する。簡略化のため、中心軸Ｘは１本だけ示している。ドリルガイドボア２０２ａ〜２０２ｚそれぞれの中心軸Ｘは、第１の骨切り術平面Ａと平行である。さらに、本実施形態において、すべてのドリルガイドボア２０２ａ〜２０２ｚの中心軸Ｘは、第１の骨切り術平面Ａと一致している。さらに、ドリルガイドボア２０２ａ〜２０２ｚはそれぞれ、外面２０５から窪んだドリルシート２０３ａ〜２０３ｚを備える。ドリルシート２０３ａ〜２０３ｚは、ドリルガイドボア２０２ａ〜２０２ｚに挿入されたドリルの停止面を提供する。ドリルシート２０３ａ〜２０３ｚそれぞれの位置を変えることによって、上記複数のドリルガイドボア２０２ａ〜２０２ｚそれぞれの特定のドリル掘削深さを規定することができる。さらに、外科的穿孔ガイドは、２つの固定具受容孔２２１ａ、２２１ｂを備える。固定具受容孔２２１ａ、２２１ｂは、骨固定具を受容することによって、対象とする骨に外科的穿孔ガイド２００を取り付けるように構成されている。
【００５８】
図４ｂは、図４ａに係る外科的穿孔ガイド２００を別の視点から示している。図４ｃは、外科的穿孔ガイド２００を骨接触面２０４側から示している。
【００５９】
図５〜図１５に関する以下の説明は、オープンウェッジ骨切り術に関するものであって、脛骨の内側から側面に向かって部分的な切除を行うことを意味する。したがって、切除ガイドは、脛骨近位部の前内側に固定され、脛骨の側面皮質が穿孔されることによって皮質骨が弱化され、脛骨プラトーの持ち上げが可能となる。
【００６０】
クローズドウェッジ法の場合は、内側を側面、側面を内側、持ち上げを引き下げと読み替える必要がある。
【００６１】
図５は、たとえば図４ａ〜図４ｃに示した外科的穿孔ガイド２００の設計および製造に関係する脛骨３００の骨表面を示している。外面２０５の形状は、以下に詳述する通り、切除深さ１１０を規定する。骨表面の関連データは、ＣＴスキャン、ＭＲＩスキャン、または３次元Ｘ線画像法により収集されたものであってもよい。骨接触面２０４の形状は、脛骨３００の前内側３０１の陰画として構成されているため、この前内側３０１の表面の形状と一致する。当業者が理解しているように、この骨接触面２０４の成形により、術前計画および患者固有のデータに基づいて、手術中に外科的穿孔ガイド２００を正確に位置決め可能となる。
【００６２】
脛骨３００の側面は、各ドリルガイドボア２０２ａ〜２０２ｚの必要なドリル掘削深さを規定することによって脛骨３００の反対側の側面皮質３０３を穿孔するように示している。穿孔は、理想的には側面皮質３０３に到達するが、外側皮質のようには深くない。深い穿通は、たとえば側面皮質３０３近傍の筋肉、動脈、または神経等の軟組織構造に損傷を及ぼす原因となる可能性がある。
【００６３】
図６ａには、本発明に係る外科的穿孔ガイド２００との関連で使用するドリル４００の好適な一実施形態を示している。ドリル４００は、停止シート４０２によって規定された校正ドリル掘削長さ４０１を有する。ドリル掘削時には、ドリル４００が挿入されたドリルガイドボア２０２ａ〜２０２ｚのドリルシート２０３ａ〜２０３ｚに停止シート４０２が衝突することにより、ドリル４００が骨中にそれ以上進まないようにすることによって、物理的に考え得るドリル掘削深さをドリルガイドボア２０２ａ〜２０２ｚの特定の必要なドリル掘削深さに制限する。
【００６４】
図６ｂは、マーキング４０３により規定された校正ドリル掘削長さ４０１を有するドリル４００の別の実施形態を示している。この別の実施形態に係るドリル４００の使用に際して、外科医は、ドリル掘削を停止するタイミングを光学的に決定する必要がある。
【００６５】
図７ａは、本発明の外科的穿孔ガイド２００との関連で使用する鋸刃５００の好適な一実施形態を示している。鋸刃５００は、固定刃シート５０２によって規定された校正鋸引き長さ５０１を有する。動作時には、外科的穿孔ガイド２００の外面２０５に刃シート５０２が衝突することによって、外科医が鋸引きする骨の深さを物理的に制限する。鋸刃５００は、第１の細長スロット２０１の厚さに対応した厚さ５０３を有する。さらに、鋸刃５００は、一端に鋸歯５０４を有し、他端に結合構造５０５を有する。結合構造５０５は、鋸刃５００の骨鋸への取り付けを可能とする。
【００６６】
図７ｂは、鋸刃５００の別の実施形態を示している。本実施形態において、鋸刃５００は、校正鋸引き長さ５０１を規定するマーキング５０３を備える。
【００６７】
本実施形態に係る鋸刃５００の使用に際して、外科医は、鋸引きを停止するタイミングを光学的に決定する必要がある。
【００６８】
図８は、外科的穿孔ガイド２００の設計および寸法決定のための関連する解剖学的ランドマークを示している。図１ａおよび図１ｂに示す機能軸１０６の修正のため、脛骨３００内の部分的切除３１６を計画している。部分的切除３１６のための正しい平面を規定するすべての解剖学的変数およびランドマークの解釈は、これらの処置を行う外科医が受ける教育および積む経験の一部であるため、本明細書の一部をなすものではない。
【００６９】
部分的切除３１６のための平面の他の部分には、脛骨３００の輪郭３１３を示している。外科的穿孔ガイド２００の設計、具体的には、必要なドリル掘削深さを制御するシート２０３ａ〜２０３ｚの配置、切除深さを制御する外面２０５の形状、および一義的な位置決めを容易化する骨接触面２０４の形状は、術前に計画される部分的切除３１６の必要な切除深さ１１０、ドリル４００の校正ドリル掘削長さ４０１、および鋸刃５００の校正鋸引き長さ５０１によって規定される。
【００７０】
オープンウェッジ手術において外科的穿孔ガイドおよび／または対応する骨切り術キットを使用するための外科的ステップは、以下のようにまとめられる。
【００７１】
１．対象とする骨の対象部位上に外科的穿孔ガイドを載置する。
【００７２】
２．骨固定要素により固定して安定させる。
【００７３】
３．すべてのドリルガイドボアを通してドリル掘削を行うことにより、骨の他方側の皮質を穿孔する。
【００７４】
４．細長スロットを通して鋸引きを行うことにより、部分的切除を行う。
【００７５】
５．外科的穿孔ガイドを取り外す。
【００７６】
後続の外科的ステップは、以下の通りである。
【００７７】
６．部分的切除部位を曲げて開口させる。
【００７８】
７．骨楔を挿入する。
【００７９】
８．プレートおよびネジ等のインプラントにより固定して安定させる。
【００８０】
９．軟組織および皮膚を閉塞する。
【００８１】
ステップ３およびステップ４は、逆の順序で実行してもよい。ステップ１およびステップ２を図９ａ〜図９ｃに示す。
【００８２】
図９ａに示すように、外科的穿孔ガイド２００は、脛骨３００の前内側３０１上に外科医が載置する。骨接触面２０４は、前内側３０１の形状に一致した形状を有する。したがって、骨接触面２０４の形状は、患者固有のデータを用いて形成しておくのが好ましい。このように、骨接触面２０４の形状と脛骨３００の前内側３０１の外形とを一致させることによって、図９ｂに示すように、前内側３０１上に外科的穿孔ガイド２００を正しく載置できる。
【００８３】
そして、図９ｃに示すように、２つの固定具受容孔２２１ａ、２２１ｂを通して２つの骨固定要素２２０ａ、２２０ｂを挿入し、脛骨３００の骨材料にねじ込むことによって、図９ｄに示すように、外科的穿孔ガイド２００を脛骨３００上にしっかりと固定する。
【００８４】
次のステップでは、図１０ａに示すように、有効なドリル掘削長さ４０１を有するドリル４００を外科医が用いることによって、図１０ｂに示すように、ドリル４００の停止シート４０２が各ドリルシート２０３ａ〜２０３ｚに衝突するまで、ドリルガイドボア２０２ａ〜２０２ｚを通してドリル掘削を行う。特に患者固有のデータに従ってドリルシート２０３ａ〜２０３ｚが外科的穿孔ガイド２００に配置されている場合には、外科的穿孔ガイド２００を用いることによって、側面皮質３０３がドリル孔３１０ａ〜３１０ｚにより穿孔される。ただし、側面皮質３０３に隣接する如何なる軟組織も損傷を受けることはない。図１０ｃに示すように、側面皮質３０３は、ドリル孔３１０ａ〜３１０ｚによって穿孔されるため、弱化されて柔軟性が増す。柔軟性が増すことによって、外科医が楔を強制的に開口させる場合の医原性骨折の危険性が抑えられる。
【００８５】
医原性骨折の発生を防止するのに必要な穿孔の数は、主に骨質、脛骨プラトーのサイズ、切除深さ１１０、ドリル４００の直径、および機能軸１０６の修正量といった変数によって決まる。
【００８６】
図１１は、図１０ｃに係る状況を断面視で示している。図から分かるように、ドリルシート２０３ａ〜２０３ｚはすべて、外科的穿孔ガイドにおいて異なる位置に位置決めされており、図１１の太線で強調するように、ドリルシート２０３ａ〜２０３ｚが互いに少し階段状に配置されている。さらに、ドリル４００の停止シート４０２がドリルシート２０３ａ〜２０３ｚと協働して、ドリル掘削深さを上記複数のドリルガイドボア２０２ａ〜２０２ｚそれぞれの特定の必要なドリル掘削深さ３１２に制限する様子を確認可能である。図から分かるように、この制限によって、外科医がドリル４００をさらに進めることができないため、軟組織の如何なる損傷も回避される。図中には、上記複数のドリルガイドボア２０２ａ〜２０２ｚのうちの１つに関する特定の必要なドリル掘削深さ３１２のみを示している。ドリル掘削ステップにより、ドリルガイドボア２０２ａ〜２０２ｚそれぞれについて、１つのドリル孔３１０ａ〜３１０ｚが脛骨３００を通して形成される。
【００８７】
図１２ａは、次のステップを示しており、鋸刃５００が細長スロット２０１に挿入されている。図１２ｂに示すように、外科医は、鋸刃５００によって、鋸引きにより切断部３１１を脛骨３００に形成するようにしてもよい。刃シート５０２と外科的穿孔ガイドの外面２０５との協働によって、切断部３１１の深さは、脛骨３００内における術前に規定された最大の所望深さに保たれる。
【００８８】
図１３は、図１２ｂに係る状況の断面を示している。この断面は、第１の骨切り術平面内に位置している。図中、刃シート５０２と相互作用する外面２０５の形状が切断部３１１の深さに及ぼす影響の様子を確認可能である。脛骨３００中の切断部３１１の形状は、本質的には外面２０５の形状に対応する。これは、鋸刃５００の鋸歯５０４が校正鋸引き長さ５０１よりも深く脛骨３００に挿入されることがないためである。
【００８９】
図１４は、本発明に係る外科的穿孔ガイド２００の別の実施形態を示している。図４に示す実施形態の特徴に加えて、本実施形態に係る外科的穿孔ガイドは、第２の骨切り術平面Ｂを規定する第２の細長スロット２４０を備える。ドリルガイドボア２０２ａ〜２０２ｚの軸Ｘが第１の骨切り術平面Ａと平行である一方、第２の骨切り術平面Ｂは、第１の骨切り術平面Ａに対するある角度で配置されている。両骨切り術平面Ａ、Ｂは、手術中に対象とする骨の内部となる線３１５で交差している。このような外科的穿孔ガイドにより、外科医は、具体的にはクローズドウェッジ骨切り術の実施に際して、対象とする骨に楔を非常に精密に切断形成することが可能である。
【００９０】
図１５ａおよび図１５ｂは、本発明に係る外科的穿孔ガイド２００のさらに別の実施形態を示している。本実施形態において、外科的穿孔ガイド２００は、細長スロット２０１を備えていない代わりに、骨接触面２０４上に配置された複数の突起２５０を備えている。突起２５０は、互いに平行に配置されるとともに、第１の骨切り術平面Ａを規定している。先と同様に、上記複数のドリルガイドボア２０２ａ〜２０２ｚは、それらの軸が第１の骨切り術平面Ａと平行になるように配置されている。突起２５０の厚さ２５１は、突起２５０が切除切断部３１１に挿入可能となるように選定される。これにより、ドリルガイドボア２０２ａ〜２０２ｚの軸を切断部３１１と平行にアライン可能となる。
【００９１】
図１６ａおよび図１６ｂは、本発明の一部ではない外科的穿孔ガイド２００の別の実施形態を示している。本実施形態においては、図１６ａから分かるように、第１の骨切り術平面Ａを規定している細長スロット２０１がドリルガイドボア２０２ａ〜２０２ｚ（そのうち、１つのドリルガイドボア２０２のみを図示）の軸Ｘと平行ではない。ただし、軸Ｘおよび細長スロット２０１は、手術中に対象とする骨の内部となる線３１５で交差するように配置されている。さらには、本実施形態においても、外科的穿孔ガイド２００が第２の骨切り術平面Ｂを規定する第２の細長スロット２４０を備える。第２の細長スロット２４０は、第２の骨切り術平面Ｂが線３１５で第１の骨切り術平面Ａと交差するように配置されている。したがって、第２の骨切り術平面Ｂはさらに、線３１５でドリルガイドボア２０２ａ〜２０２ｚの軸Ｘとも交差している。
【００９２】
図１６ｂは、図１６ａに示す実施形態に係る外科的穿孔ガイド２００を骨接触面２０４側から示している。この図で確認されるように、ドリルガイドボア２０２ａ〜２０２ｚ（そのうち、１つのドリルガイドボア２０２のみを図示）はすべて、第１の細長スロット２０１および第２の細長スロット２４０から間隔を空けた単一の線上に配置されている。さらに、２つの固定具受容孔２２１ａ、２２１ｂの位置についても、この図で十分に確認可能である。このような外科的穿孔ガイドは、具体的にはクローズドウェッジ骨切り術に適している。対象とする骨に、互いに傾斜した２つの切断部を切断形成可能となり、これらの切断部が、対象とする骨から後々除去する楔状の骨を規定しているからである。
【符号の説明】
【００９３】
１００  大腿骨
１０１  脛骨
１０２  膝関節
１０３  楔
１０４  第１の平面切除部
１０５  骨楔
１０６  機能軸
１０７  医原性骨折
１０８  非切除骨部位
１１０  切除深さ
２００  外科的穿孔ガイド
２０１  第１の細長スロット
２０２（ａ〜ｚ）  ドリルガイドボア
２０３（ａ〜ｚ）  ドリルシート
２０４  骨接触面
２０５  外面
２１０  直方体形状
２２０ａ  骨固定要素
２２０ｂ  骨固定要素
２２１ａ  固定具受容孔
２２１ｂ  固定具受容孔
２４０  第２の細長スロット
３００  脛骨
３０１  前内側
３０３  側面皮質
３１０（ａ〜ｚ）  ドリル孔
３１１  切断部
３１２  ドリル掘削深さ
３１３  輪郭
３１５  線
３１６  部分的切除
４００  ドリル
４０１  校正ドリル掘削長さ
４０２  停止シート
４０３  マーキング
５００  鋸刃
５０１  校正鋸引き長さ
５０２  固定刃シート
５０３  厚さ
５０４  鋸歯
５０５  結合構造
【図１ａ】
2016501644.tif 000003
【図１ｂ】
2016501644.tif 000004
【図２ａ】
2016501644.tif 000005
【図２ｂ】
2016501644.tif 000006
【図３ａ】
2016501644.tif 000007
【図３ｂ】
2016501644.tif 000008
【図４ａ】
2016501644.tif 000009
【図４ｂ】
2016501644.tif 000010
【図４ｃ】
2016501644.tif 000011
【図５】
2016501644.tif 000012
【図６ａ】
2016501644.tif 000013
【図６ｂ】
2016501644.tif 000014
【図７ａ】
2016501644.tif 000015
【図７ｂ】
2016501644.tif 000016
【図８】
2016501644.tif 000017
【図９ａ】
2016501644.tif 000018
【図９ｂ】
2016501644.tif 000019
【図９ｃ】
2016501644.tif 000020
【図９ｄ】
2016501644.tif 000021
【図１０ａ】
2016501644.tif 000022
【図１０ｂ】
2016501644.tif 000023
【図１０ｃ】
2016501644.tif 000024
【図１１】
2016501644.tif 000025
【図１２ａ】
2016501644.tif 000026
【図１２ｂ】
2016501644.tif 000027
【図１３】
2016501644.tif 000028
【図１４】
2016501644.tif 000029
【図１５ａ】
2016501644.tif 000030
【図１５ｂ】
2016501644.tif 000031
【図１６ａ】
2016501644.tif 000032
【図１６ｂ】
2016501644.tif 000033
【国際調査報告】
2016501644.tif 000034
2016501644.tif 000035
2016501644.tif 000036
2016501644.tif 000037
2016501644.tif 000038